(57)【要約】      （修正有）【課題】充電及び電動式ドライバー又は、ドリル工具等において、先端に脱着して使用するビット工具等の複数を一体型化した合理的な組み合わせを可能とする工具として実現させ、高所などの狭い危険な箇所の作業に伴う事故なども未然に防止するために工具の削減を目的とし、経済的効果なども向上させる専用１体型アタッチメン工具を提供する。【解決手段】充電及び電動式ドライバー又は、ドリル工具等の本体の先端部へ工具を連結させた専用一体型アタッチメン工具とし、更にその工具の先端孔へ1体型アタッチメン工具を用いて、脱着させ２〜３個以上の作業を交互に瞬時に可能とさせ、脱着手間を削減する。工具への連結で生じる長さの障害を解決し又、回転等で生じるモーメントを緩和し合理的かつ、安全な工具とする。【選択図】図６
0003112968.tif 000002
【実用新案登録請求の範囲】
【請求項１】
充電及び電動式ドライバー等本体先端の脱着孔部分へ既製六角ビット２個以上の工具を一体型化するアタッチメント工具で、既製ビットがアタッチメントを有さず、各々の工具が脱着でき、２個以上の工具が使用可能となる固定専用のアタッチメントで被覆させて、迅速に交換を可能とした一体型アタッチメント工具であり、連結さす専用のアタッチメントホルダ−５を用いることでビット工具の差し替えが不要で、外すとすぐ使用でき連結さすと六角ビット及び錐ビット等工具を一体化した状態になり、片手で脱着ができ作業性を向上さすことを特徴する充電及び電動式ドライバー等の専用一体型アタッチメント工具                  
【請求項２】
既製の六角ビット等の２個の工具が一体化した一体型工具で、充電及び電動式ドライバー等工具へ取り付け、双方を脱着させ交互に使用するもので、覆う側の工具は片手で脱着可能となり、交換による手間を省き、作業性の安全と能率を向上させる一体型工具。
【考案の詳細な説明】
【技術分野】
【０００１】
電動式ドライバー工具において、六角ネジ廻しビット等の工具を装着した状態へ、もう１つの関連する別の作業性能を持つための工夫を施す工具で、固定専用のアタッチメントを被覆させ装着し、又別の専用のアタッチメントを用い脱着さし２個以上の作業の既製六角ビット工具を脱着させ、重ね被覆し、交互させ使用が可能、かつ安全に使用でき、複数の電動式工具に取り付き脱着可能に一体型化する、充電及び電動式ドライバー等の専用一体型アタッチメントと及び一体型化した単体（既製ビット工具２個の組合せ）の工具の双方に関する。
【背景技術】
【０００２】
電動式の充電ドライバーに脱着さし使用する既製の六角ビット工具（プラス.マイナス）等での交互に取り替え可能な装置等の考案は出願されているが、実用例は少なく、試験的に既存の考案及び発明等での工具を試作し、実施してみたもの長さ及び回転による安定は期待できず、実用に至らない事を実感した。実際は、作業の用途により先端の六角ネジ廻しビット工具の部品を取り替えてその都度交換を行うか、もしくは、別の電動式ドライバーの数台で交互させ利用する状況であり不便、かつ不経済、特に高所などでは作業性は不良となり、安全面も向上せず、落下事故等が起こりうる状態は、いまだ解決されてない状況である。
【０００３】
【特許文献１】公開特許Ｈ０８−０８５０７６公報
【特許文献２】公開特許Ｈ１１−１０４９０８公報
【考案の開示】
【考案が解決しようとする課題】
【０００４】
複数の類似（六角軸の形状のビット又、丸軸ビット工具）の既製六角ビット工具や携帯する電動式工具などの数量を削減させ、高所での作業においての脱着に伴う取り替え手間や工具の落下事故等のトラブルを減少さすことで、数多いビット工具部品を削減し整理でき経済的に、合理性を持つ工具とさせ、作業性の向上等を図ることを課題とする。
【課題を解決するための手段】
【０００５】
既製の充電及び電動式ドライバー等工具の先端に取り付け使用する既製ビット工具の丸い形状軸の錐、もしくは六角の形状ビット等のドライバー工具に、取り付け専用１体型アタッチメント工具を考案し、２〜３個以上の用途の作業ビットを合理的に組み合わせ可能な一体工具とさせ、交互に使用が片手で可能とし、作業性ほか向上さす工夫を施す、専用一体型アタッチメント工具及び既製ビット工具２個の組合せで構成した、一体型工具を提供する。
【考案の効果】
【０００６】
一般家庭でも利用の多い充電及び電動式ドライバー等工具への専用の複数のビットを先端に脱着し取替えて使用していたが、本考案の、アタッチメントを装着させることで、より便利な効果が期待でき、充電及び電動式ドライバー等の大工道具や各種サイズの錐ドリル工具などに装着可能となり、先端に被覆させ重ねた筒状のアタッチメントは収納が便利で安全かつ、大.中.小の寸法や大きさの異なる鋭角なサイズの錐等の場合でも先端を覆うことが可能で、危険で狭い作業場所での安全性の向上や作業時間の短縮に効果がアツプする。なお、アタッチメントの装着連結部分は太く強固で、大きいサイズの錐等の場合でも安定した操作性が可能となる。
【０００７】
請求項２の既製ビット２個の組み合わせ工具の効果では、各々を試作し一体化した工具で実施したところ、何箇所もの不備が生じたが、各々の改良を加えて本考案に至ったもので、日曜大工作業での試作品の使用結果は、作業の操作性が高く時間の短縮が可能で安全面も期待できる。合理的な組み合わせの一体型工具となり、道具の携帯数など、削減可能で経済的効果が発揮できる。
【０００８】
現在は、スーパーインパクト.ドライバー及びドリルなどの充電容量や機械本体に換気設備を構える強力なタイプに入れ変わり、本考案で実施した専用一体型アタッチメント工具は、適合した構成となり装着連結部分が、太く強固となり、既製錐の大きいサイズの六角ビット等や、孔空けホルソーなどの比較的大きいビット工具を用いても問題なく応力を筒状の部分で緩和する効果が期待できた。又請求項２の一体型工具数台での試作工具では、最もホームタイ廻し工具と六角木工錐の組み合わせが便利で、高所での作業能率は、効果が発揮できた。
【考案を実施するための最良の形態】
【０００９】
請求項１の電動式ドライバー等の数種類の工具へ一体化を図るために連結された専用一体型アタッメント工具図１.２で、図４アタッチメントの主軸部分の部材４．４dとで構成され、ジョイント部は、４bベヤリングを挿む形式に構成し、その部分は強い振動に耐える設計となり、工具に加わる応力を緩和するほか、本体の充電及び電動式ドライバー等工具の先挿入孔のつまみ部端のスライド部分２へ、被覆させ、ねじ固定する専用のアタッチメントとで、その覆う部分は各種電動式工具に、対応するためのサイズを構え機能を損なわずに既製六角プラスビット工具等の装着可能とさせる部分であり、その先端部は六角形状となり中間部分には４eの溝を施すほか、先端部分は面取り加工され既製ビット工具の取替えや５のアタッチメントホルダー工具の脱着を容易とさせる。又上記に加えチャツク式の電動式ドライバー工具専用となるアタッチメントがあり、図４、４主軸部分の六角形状後部から六角形状の筒状の六角軸が突起した形状で、主軸ホルダーアタッチメント部分を保持せず、軸芯は、六角注入孔となり既製ビットの六角軸を装着させ、ロックボールの上下の運動により固定される仕組みで、突起した形状（図の記載は無い）の六角軸部分をチャツク式の電動式ドライバー先端のつめ部分がつかむ状態で固定する専用ブースグリップカバーアタッチメト図７、６を装着しない形状で、チャック式の電動式ドライバー工具の六角ビット専用となる。この場合は、図4アタッチメントの主軸部分の部材４が筒状となったもので、挿入孔のつまみ部端のスライド部分２へ固定され、主軸ホルダーアタッチメント部分を保持しない。アタッチメント図８で、図５の筒状アタッチメントホルダー工具の脱着を容易とさせる。
【００１０】
図５は、電動式ドライバーなどの工具へ専用のアタッチメント工具で、筒状のアタッチメントホルダー工具であり、両端部は六角孔となり、両端のロックボール５Cの上下の運動で注入される図４部分のアタッチメント先端及び、既製六角錐ビット等を装着可態とする、六角孔部分へ有すもので、相違タイプの工具図５を２個構え、長けの異なる錐のサイズに対応する。又、長けは短く径が大.中.小の鋭角な錐の場合は先端を覆うように収納し、連結され1体化する。又、図６の２〜３個以上の用途の作業ビットを合理的に組み合わせを、可能とする専用１体型アタッチメント工具及び既製ビット工具２個の組合せで構成した、一体型工具で、五感性を緩和するのが図１、３の固定兼用ブースグリップカバーであり脱着による挿入性、回転による安全性、操作性、本体との装着バランスなど、損ないように防止させるものとする。固定兼用ブースグリップカバーは３a 固定用ネジ部、３b ジョイント伸縮カバーアタッチメント、３c ジョイント保護エッジ、３d 固定用ジョイント溝等で構成する。
【００１１】
図７の変速式電動工具のジョイント伸縮カバーアタッチメントは図６、６ｄの固定側グリップカバー工具と類似工具であり、相違点は、チャック等の開閉式方法等で先端のビット工具の端部をつかむ爪形状の部分の開閉により脱着を可能とするタイプの工具であり、電動工具本体へ被覆をさせて、ねじ固定し使用可能とさせる、本体を覆う部分は意匠の違い等に対応するためのサイズを構え電動式ドライバー各種工具に被覆した形状で、ねじ固定し、一体型形状とするための連結アタッチメント工具を用い被覆し、その先端へビット工具を脱着して交互に使用する。
【００１２】
請求項２の図９、１０，１１、１２は、請求項1とは異なる単体工具例であり、２個の用途のビット工具を一体化した作業用のビット工具で、一体型ビットの片側軸側となる六角ネジ廻しビット工具へ被覆し固定さし、一体化する単体の脱着式のアタッチメント工具で、片手で取り外せ交互に使用可能とする。関連的な工具の組み合わせを可能とする特徴があり、充電式電動スクリユーウ.ドライバー.インパクト.ドリル等の先端にセットし充電式電動工具等に幅広く応用させるもので、脱着使用可能な単体の１体型アタッチメント工具を順に説明する。
【００１３】
図９は、仮設足場、型枠工事に伴う工事等で利用度が高い工具で、工具先端には、各寸法のレンチのサイズのアタッチメント工具が準備され、筒状の元端内部は六角孔となり、端部のロックボール７Cの上下の運動で注入される既製六角プラスビット等を装着可態とし、又工具の注入孔は面加工が施して有り孔への脱着容易な状態にさせ、迅速にナット.ボート.ネジ等の締め付け等が、容易な工具である。
【００１４】
図１０．１１は、電気設備配線工事業等で最も利用性が高いホルソー工具と六角ネジ廻しプラスビット工具とを一体化したアタッチメント工具であり、既製ホルソー工具は、現役で存在し、安全面、便利、スピーディなど作業性能を有す工具である、本考案記載の既製ビット２個の組み合わせ工具の機能を適用し、新たな特徴をもたす一体型工具とした図10.11、主軸部８ｅは六角状となり軸中央に有すロックボール溝８ｉへ、中心内部の六角挿入孔を有す左右交換式のホルソー両刃が脱着する、六角ネジ廻しプラスビットを保管し一体化する一体型工具である。
【００１５】
図１２は、土木業等や型枠工事金物、ホームタイ等の締め付けの際に使用する工具で、図１２の９. ９ a〜９ gで構成する工具で、本考案記載の既製ビット２個の組み合わせ工具の機能を適用し、２個の関連した工具を迅速に使用可能でき、高所での活躍を期待さす一体型工具で、型枠締め付け工具図１２、９部分が挿入孔を構え六角錐ビットアタッメント９ｄを収納する、２個の関連した用途の作業が迅速に、片手で取り外せ交互に使用可能でき、狭い危険を有す作業、高所のホームタイ締め付け作業等又は、孔空け忘れ等の型枠への孔空け作業を迅速に可能とでき、六角錐ビットとアタッメント９ｄは、ビットと錐等の交換が可能である。
【実施例】
【００１６】
図1、電動式工具本体の先端部に六角ビット交換用の挿入孔を持つスライド式へッド部をスライドし、ビット交換を行い、図２、４の連結の主軸へッドアタッチメント主軸ホルダーを固定させ、本体からの回転出力を伝える本体１のへッド部分は空回りをし、六角ビット交換を容易とさし操作性を図る工夫を持つ、この仕組みに準じて専用の主軸部分４は、主軸ホルダーアタッチメント部分４aを区別した形態で連結させる。なお、主軸連結部分は平板ベヤリング４ｂを構える。
【００１７】
本体１のへッド部にセットされたビットの回転力を専用主軸部分図１の４へ回転を伝える。この部分の主軸部品の筒穴は、六角挿入孔となっており挿入された工具が安定した力の伝達軸となって専用の主軸部分４を廻す。それにより、電動式ドライバー本体のビット交換の際の空回り機能を損なうことなく連結し使用可能となる。
【００１８】
図７、一体型アタッチメント工具６の主軸部と主軸ホルダーアタッチメント部分６aは、電動工具のチャック式の先端部へ取り付け可能で、軸の異なる錐等の丸軸及び六角錐などの形状を問わず、対応し脱着可能な一体型アタッチメント工具とする。
【００１９】
主軸ホルダーアタッチメント部分図４の４a部分の内径を調整させ、新しいものから旧式の電動式ドライバー等各種の電動式工具への脱着可能とし、幅広く対応できる経済的な工具とさす。
【００２０】
図１.７専用の主軸部分４と連結する安定兼用ブースグリップカバー３及び図７の６が連結され装着する、図１、部分は固定、脱着両用があり３a,３b,３cが連結されていて３bのジョイント伸縮カバーアタッチメントが、数種類の電動式インパクト、ドライバー等の異なるジョイント部の太さ、形状をカバーし連結状態のバランスをとり、なお専用工具アタッチメントホルダー図５、５部分の脱着及び回転を安定させて五感性を保つ役割をする筒状のアタッチメント５を装着させる際に容易に挿入させ、六角状部分の回転による安全性を保持するカバーとなり安全である。
【００２１】
専用の工具アタッチメントホルダー図５は２種類の長さの異なる工具を構え、種類、太さ、形状の異なる六角ビットに対応さす専用工具５の両端内部は六角孔となり、外側は両端部に筒型板状ボ―ルピンカバー５bの加工溝があり、ボールピン５cがセットされ挿入する六角ビットの溝部へセットされ使用可能となり、既製六角ビット工具等は大半数使用可能となり錐の収納や大きめの孔を空けなど、容易とさせることが可能である。
【００２２】
図６は、一体型化された工具と既製のビット工具各々がアタッチメントを装着しない状態で、2個以上の作業を交互に使用を可能とさすアタッチメント工具とを、電動式スクリュードライバーとを連結さし組み合わせた断面図で、図６で記載するもので専用一体型アタッチメント工具で、電動式スクリュードライバーの数種類へ対応する。
【００２３】
請求項２考案は、六角プラスビット等を主とする工具とを一体化された工具であり、各図面で示す図９．図１０．図１２である。図９は、レンチソヶットと1体化した工具でこの筒状の端部は六角注入孔となり、ロックボールの上下の運動で注入された六角プラスビット等が固定され一体型する仕組みであり、六角プラスビット等に被覆した形状で収納されて外すと六角プラスビット等の工具が使用可能な状態となる。図９以外に先端部分のレンチソヶットのみ、交換さす脱着タイプのもので、レンチ専用のアダブタ―を先端部に備えた筒状アタッチメントと六角プラスビット工具を収納し、一体化した一体型工具である。
【００２４】
図１０は、ホルソー両刃取替え式で既製工具ではあるが、本一体型工具元側の主軸部分へ工夫を施したもので、前記の記載と同じく、筒状の端部は六角挿入孔となり、ロックボールの上下の運動で注入された六角プラスビット等が脱着され固定する仕組みで、六角プラスビットとの双方の組み合わせによる相性が良く、被覆した形状で一体型化された工具である。このホルソー両刃の差し替え部分は、異なるサイズの組み合わせを自由に可能とする特徴を持つ。
【００２５】
図１２は、上記の図１０の作業用途と違う組み合わせ工具であり、土木用のホームタイ廻しで使用されもので、図１２の端部へ収納さす工夫を施したもので、異形の筒状端部の内径部分は六角孔となり、注入側の六角状のネジで固定されたアタッチメント９ｄが、ロックボールの上下の運動により脱着可能となり、被覆した形状で、一体型化し、組み合わせた一体型工具として使用可能となる。又図１２で示す９部分を外すと、木工用六角錐ビット等の工具が使用可能となる。
【産業上の利用可能性】
【００２６】
関連した２個以上の作業を交互に使用可能とさせる場合は、交互に取り替えをさせ、使用するか、もしくは、一体化させ一方の元側となるビット工具軸へ、何らかの被覆及び連結する為のアタッチメントを各々に加える工夫が必要であり、すなわち既存発明は、アタッチメントを有さずに２つ以上の作業を交互に使用を可能とさすことは難しいことであったが、本考案する一体型アタッチメント工具で可能とできた。既製のビット工具各々がアタッチメントを装着しない状態で、２個以上の作業を交互に使用を可能とさすことこそが特徴であり、複数の道具に対応させることが可能、安全、便利、スピーディなどの作業性の効果が発揮できる。試作による実施例でも、既に効果が得てあり、産業上の汎用も期待でき、現場における労災事故他、電動式工具へのビット工具の取り替え手間の削減して各種の作業等を容易とする。又２個以上もしくは、請求項２の一体型工具との組み合わせを行うことで、収納部分に備える３個以上の用途の異なる作業が、自由自在に組み合わせが可能となり、交互に迅速に使用が可能である。なお、上記記載のビット工具の収納部分には、大.中.小の鋭角な錐のビット工具等の長さ・太さによる幅広い種類のビット工具の収納が容易なことなど、経済面でも効果を期待させる。又五感性の異なる電動式工具等へも装着も可能とさす為、図１．図７を構え対応し、産業上の利用の可能性も図る、専用一体型アタッチメン工具である。
【図面の簡単な説明】
【００２７】
【図１】充電及び電動式インパクト・ドライバー工具本体と電動式等の専用一体型アタッチメント工具構成図
【図２】主軸部分と安定ホルダーグリップ部分の断面図
【図３】専用工具一体型アタッチメント工具（３つの連結状態）の正面図
【図４】主軸部分と主軸ホルダーアタッチメント連結状態斜視図
【図５】アタッチメントホルダー断面図
【図６】一体型工具と充電及び電動式専用一体型アタッチメト工具構成図
【図７】充電及び電動式スクリュウ―・ドライバー工具本体と電動式等の専用一体型アタッチメト工具構成図
【図８】チャック式電動工具の六角ビット専用アタッチメトと工具本体への装着斜視図
【図９】レンチ工具と六角ビット工具の一体型工具の断面図
【図１０】ホルソー両刃工具と六角ビット工具の一体型工具の断面図とａ―a線の断面図
【図１１】ホルソー両刃工具の主軸部分の断面図とb―b線の断面図
【図１２】ホームタイ廻し工具と六角木工錐の一体型工具の断面図とｃ―c線の断面図
【符号の説明】
【００２８】
１    充電及び電動式インパクト.ドライバー本体
２    電動工具ビット交換用スライドヘツド部分
３    固定兼用ブースグリップカバー
３a   固定用ネジ部分
３b   ジョイント伸縮カバーアタッチメント
３c   ジョイント保護エッジ
３d   固定用ジョイント溝
４    主軸ヘツド部分と主軸ホルダー（インパクト式、チャック式用）
４a   主軸ホルダー部分          
４b   平型ベヤリング
４c   固定Ｏリング
４d   固定用ネジ部分
４e   脱着専用ボール溝
５    アタッチメントホルダー          
５a   六角既製ビット工具送入孔注入口
５b   円柱型板バネボールカバー
５c   ロックボール
６    電動式スクリュウ・ドライバー専用ブースグリップカバーアタッチメト
６a   主軸ヘツド部分
６ｂ  ホルダーヘッドカバー      
６ｃ  平型ベヤリング
６ｄ  固定側グリップカバー
６e   固定用ネジ部分
７   レンチ工具と六角プラスネジ回しビット工具との一体型工具（本体部分）
７a   円柱型板バネボールカバー
７b  ロックボール
７c  六角孔レンチ送入孔注入口
７d  六角ビット孔（筒間部  ）
8    ホルソー両刃工具と六角ビット工具の一体型工具（本体部分）
8 a  鋼板用錐（取り替え式）    
8 b  ホルソー両刃 （本体）     
8 c  チップ刃
8 d  安全エッジカバー
8 e  主軸部分
8 f  固定用ネジ部分
8 j  錐固定用ネジ部
8 h  既製六角ビット工具送入孔
8 i  脱着専用ボール溝
9    ホームタイ廻し工具と六角ビット木工錐の一体型工具（本体部）
9 a  六角ビット工具（木工用錐）
9 b  円柱型板バネボールカバー
9 c  ロックボール
9 d  六角ビット工具専用アタッチメント
9 e  錐固定用ネジ部分
9 f  固定用ジョイント溝
9 g  六角ビット工具軸  
【図１】
0003112968.tif 000003
【図２】
0003112968.tif 000004
【図３】
0003112968.tif 000005
【図４】
0003112968.tif 000006
【図５】
0003112968.tif 000007
【図６】
0003112968.tif 000008
【図７】
0003112968.tif 000009
【図８】
0003112968.tif 000010
【図９】
0003112968.tif 000011
【図１０】
0003112968.tif 000012
【図１１】
0003112968.tif 000013
【図１２】
0003112968.tif 000014
【手続補正書】
【提出日】平成17年5月20日(2005.5.20)
【手続補正１】
【補正対象書類名】実用新案登録請求の範囲
【補正対象項目名】全文
【補正方法】変更
【補正の内容】
【実用新案登録請求の範囲】
【請求項１】
充電及び電動式ドライバー等本体先端の脱着孔部分へ六角ビット２個以上の工具を一体型化するアタッチメント工具で、ビットがアタッチメントを有さず、各々の工具が脱着でき、２個以上の工具が使用可能となる固定専用のアタッチメントで被覆させて、迅速に交換を可能とした一体型アタッチメント工具であり、連結さす専用のアタッチメントホルダ−５を用いることでビット工具の差し替えが不要で、外すとすぐ使用でき連結さすと六角ビット及び錐ビット等工具を一体化した状態になり、片手で脱着ができ作業性を向上さすことを特徴する充電及び電動式ドライバー等の専用一体型アタッチメント工具
【請求項２】
六角ビット等の２個の工具が一体化した一体型工具で、充電及び電動式ドライバー等工具へ取り付け、双方を脱着させ交互に使用するもので、覆う側の工具は片手で脱着可能となり、交換による手間を省き、作業性の安全と能率を向上させる一体型工具。
【手続補正２】
【補正対象書類名】明細書
【補正対象項目名】全文
【補正方法】変更
【補正の内容】
【考案の詳細な説明】
【技術分野】
【０００１】
電動式ドライバー工具において、六角ネジ廻しビット等の工具を装着した状態へ、もう１つの関連する別の作業性能を持つための工夫を施す工具で、固定専用のアタッチメントを被覆させ装着し、又別の専用のアタッチメントを用い脱着さし２個以上の作業の六角ビット工具を脱着させ、重ね被覆し、交互させ使用が可能、かつ安全に使用でき、複数の電動式工具に取り付き脱着可能に一体型化する、充電及び電動式ドライバー等の専用一体型アタッチメントと及び一体型化した単体（ビット工具２個の組合せ）の工具の双方に関する。
【背景技術】
【０００２】
電動式の充電ドライバーに脱着さし使用する六角ビット工具（プラス．マイナス）等での交互に取り替え可能な装置等の考案は出願されているが、実用例は少なく、試験的に既存の考案及び発明等での工具を試作し、実施してみたもの長さ及び回転による安定は期待できず、実用に至らない事を実感した。実際は、作業の用途により先端の六角ネジ廻しビット工具の部品を取り替えてその都度交換を行うか、もしくは、別の電動式ドライバーの数台で交互させ利用する状況であり不便、かつ不経済、特に高所などでは作業性は不良となり、安全面も向上せず、落下事故等が起こりうる状態は、いまだ解決されてない状況である。
【０００３】
【特許文献１】公開特許Ｈ０８−０８５０７６公報
【特許文献２】公開特許Ｈ１１−１０４９０８公報
【考案の開示】
【考案が解決しようとする課題】
【０００４】
複数の類似（六角軸の形状のビット又、丸軸ビット工具）の六角ビット工具や携帯する電動式工具などの数量を削減させ、高所での作業においての脱着に伴う取り替え手間や工具の落下事故等のトラブルを減少さすことで、数多いビット工具部品を削減し整理でき経済的に、合理性を持つ工具とさせ、作業性の向上等を図ることを課題とする。
【課題を解決するための手段】
【０００５】
充電及び電動式ドライバー等工具の先端に取り付け使用するビット工具の丸い形状軸の錐、もしくは六角の形状ビット等のドライバー工具に、取り付け専用１体型アタッチメント工具を考案し、２〜３個以上の用途の作業ビットを合理的に組み合わせ可能な一体工具とさせ、交互に使用が片手で可能とし、作業性ほか向上さす工夫を施す、専用一体型アタッチメント工具及びビット工具２個の組合せで構成した、一体型工具を提供する。
【考案の効果】
【０００６】
一般家庭でも利用の多い充電及び電動式ドライバー等工具への専用の複数のビットを先端に脱着し取替えて使用していたが、本考案の、アタッチメントを装着させることで、より便利な効果が期待でき、充電及び電動式ドライバー等の大工道具や各種サイズの錐ドリル工具などに装着可能となり、先端に被覆させ重ねた筒状のアタッチメントは収納が便利で安全かつ、大．中．小の寸法や大さの異なる鋭角なサイズの錐等の場合でも先端を覆うことが可能で、危険で狭い作業場所での安全性の向上や作業時間の短縮に効果がアツプする。なお、アタッチメントの装着連結部分は太く強固で、大きいサイズの錐等の場合でも安定した操作性が可能となる。
【０００７】
請求項２のビット２個の組み合わせ工具の効果では、各々を試作し一体化した工具で実施したところ、何箇所もの不備が生じたが、各々の改良を加えて本考案に至ったもので、日曜大工作業での試作品の使用結果は、作業の操作性が高く時間の短縮が可能で安全面も期待できる。合理的な組み合わせの一体型工具となり、道具の携帯数など、削減可能で経済的効果が発揮できる。
【０００８】
現在は、スーパーインパクト．ドライバー及びドリルなどの充電容量や機械本体に換気設備を構える強力なタイプに入れ変わり、本考案で実施した専用一体型アタッチメント工具は、適合した構成となり装着連結部分が、太く強固となり、錐の大きいサイズの六角ビット等や、孔空けホルソーなどの比較的大きいビット工具を用いても問題なく応力を筒状の部分で緩和する効果が期待できた。又請求項２の一体型工具数台での試作工具では、最もホームタイ廻し工具と六角木工錐の組み合わせが便利で、高所での作業能率は、効果が発揮できた。
【考案を実施するための最良の形態】
【０００９】
請求項１の電動式ドライバー等の数種類の工具へ一体化を図るために連結された専用一体型アタッメント工具図１．２で、図４アタッチメントの主軸部分の部材４．４ｄとで構成され、ジョイント部は、４ｂベヤリングを挿む形式に構成し、その部分は強い振動に耐える設計となり、工具に加わる応力を緩和するほか、本体の充電及び電動式ドライバー等工具の先挿入孔のつまみ部端のスライド部分２へ、被覆させ、ねじ固定する専用のアタッチメントとで、その覆う部分は各種電動式工具に、対応するためのサイズを構え機能を損なわずに六角プラスビット工具等の装着可能とさせる部分であり、その先端部は六角形状となり中間部分には４ｅの溝を施すほか、先端部分は面取り加工されビット工具の取替えや５のアタッチメントホルダー工具の脱着を容易とさせる。又上記に加えチャツク式の電動式ドライバー工具専用となるアタッチメントがあり、図４、４主軸部分の六角形状後部から六角形状の筒状の六角軸が突起した形状で、主軸ホルダーアタッチメント部分を保持せず、軸芯は、六角注入孔となりビットの六角軸を装着させ、ロックボールの上下の運動により固定される仕組みで、突起した形状（図の記載は無い）の六角軸部分をチャツク式の電動式ドライバー先端のつめ部分がつかむ状態で固定する専用ブースグリップカバーアタッチメト図７、６を装着しない形状で、チャツク式の電動式ドライバー工具の六角ビット専用となる。この場合は、図４アタッチメントの主軸部分の部材４が筒状となったもので、挿入孔のつまみ部端のスライド部分２へ固定され、主軸ホルダーアタッチメント部分を保持しない。アタッチメント図８で、図５の筒状アタッチメントホルダー工具の脱着を容易とさせる。
【００１０】
図５は、電動式ドライバーなどの工具へ専用のアタッチメント工具で、筒状のアタッチメントホルダー工具であり、両端部は六角孔となり、両端のロックボール５Ｃの上下の運動で注入される図４部分のアタッチメント先端及び、六角錐ビット等を装着可態とする、六角孔部分へ有すもので、相違タイプの工具図５を２個構え、長けの異なる錐のサイズに対応する。又、長けは短く径が大．中．小の鋭角な錐の場合は先端を覆うように収納し、連結され１体化する。又、図６の２〜３個以上の用途の作業ビットを合理的に組み合わせを、可能とする専用１体型アタッチメント工具及び既製ビット工具２個の組合せで構成した、一体型工具で、五感性を緩和するのが図１、３の固定兼用ブースグリップカバーであり脱着による挿入性、回転による安全性、操作性、本体との装着バランスなど、損ないように防止させるものとする。固定兼用ブースグリップカバーは３ａ固定用ネジ部、３ｂジョイント伸縮カバーアタッチメント、３ｃジョイント保護エッジ、３ｄ固定用ジョイント溝等で構成する。
【００１１】
図７の変速式電動工具のジョイント伸縮カバーアタッチメントは図６、６ｄの固定側グリップカバー工具と類似工具であり、相違点は、チャック等の開閉式方法等で先端のビット工具の端部をつかむ爪形状の部分の開閉により脱着を可能とするタイプの工具であり、電動工具本体へ被覆をさせて、ねじ固定し使用可能とさせる、本体を覆う部分は意匠の違い等に対応するためのサイズを構え電動式ドライバー各種工具に被覆した形状で、ねじ固定し、一体型形状とするための連結アタッチメント工具を用い被覆し、その先端へビット工具を脱着して交互に使用する。
【００１２】
請求項２の図９、１０，１１、１２は、請求項１とは異なる単体工具例であり、２個の用途のビット工具を一体化した作業用のビット工具で、一体型ビットの片側軸側となる六角ネジ廻しビット工具へ被覆し固定さし、一体化する単体の脱着式のアタッチメント工具で、片手で取り外せ交互に使用可能とする。関連的な工具の組み合わせを可能とする特徴があり、充電式電動スクリユーウ．ドライバー．インパクト．ドリル等の先端にセットし充電式電動工具等に幅広く応用させるもので、脱着使用可能な単体の１体型アタッチメント工具を順に説明する。
【００１３】
図９は、仮設足場、型枠工事に伴う工事等で利用度が高い工具で、工具先端には、各寸法のレンチのサイズのアタッチメント工具が準備され、筒状の元端内部は六角孔となり、端部のロックボール７Ｃの上下の運動で注入される六角プラスビット等を装着可態とし、又工具の注入孔は面加工が施して有り孔への脱着容易な状態にさせ、迅速にナット．ボート．ネジ等の締め付け等が、容易な工具である。
【００１４】
図１０．１１は、電気設備配線工事業等で最も利用性が高いホルソー工具と六角ネジ廻しプラスビット工具とを一体化したアタッチメント工具であり、ホルソー工具は、現役で存在し、安全面、便利、スピーディなど作業性能を有す工具である、本考案記載のビット２個の組み合わせ工具の機能を適用し、新たな特徴をもたす一体型工具とした図１０．１１、主軸部８ｅは六角状となり軸中央に有すロックボール溝８ｉへ、中心内部の六角挿入孔を有す左右交換式のホルソー両刃が脱着する、六角ネジ廻しプラスビットを保管し一体化する一体型工具である。
【００１５】
図１２は、土木業等や型枠工事金物、ホームタイ等の締め付けの際に使用する工具で、図１２の９．９ａ〜９ｇで構成する工具で、本考案記載のビット２個の組み合わせ工具の機能を適用し、２個の関連した工具を迅速に使用可能でき、高所での活躍を期待さす一体型工具で、型枠締め付け工具図１２、９部分が挿入孔を構え六角錐ビットアタッメント９ｄを収納する、２個の関連した用途の作業が迅速に、片手で取り外せ交互に使用可能でき、狭い危険を有す作業、高所のホームタイ締め付け作業等又は、孔空け忘れ等の型枠への孔空け作業を迅速に可能とでき、六角錐ビットとアタッメント９ｄは、ビットと錐等の交換が可能である。
【実施例】
【００１６】
図１、電動式工具本体の先端部に六角ビット交換用の挿入孔を持つスライド式へッド部をスライドし、ビット交換を行い、図２、４の連結の主軸へッドアタッチメント主軸ホルダーを固定させ、本体からの回転出力を伝える本体１のへッド部分は空回りをし、六角ビット交換を容易とさし操作性を図る工夫を持つ、この仕組みに準じて専用の主軸部分４は、主軸ホルダーアタッチメント部分４ａを区別した形態で連結させる。なお、主軸連結部分は平板ベヤリング４ｂを構える。
【００１７】
本体１のへッド部にセットされたビットの回転力を専用主軸部分図１の４へ回転を伝える。この部分の主軸部品の筒穴は、六角挿入孔となっており挿入された工具が安定した力の伝達軸となって専用の主軸部分４を廻す。それにより、電動式ドライバー本体のビット交換の際の空回り機能を損なうことなく連結し使用可能となる。
【００１８】
図７、一体型アタッチメント工具６の主軸部と主軸ホルダーアタッチメント部分６ａは、電動工具のチャック式の先端部へ取り付け可能で、軸の異なる錐等の丸軸及び六角錐などの形状を問わず、対応し脱着可能な一体型アタッチメント工具とする。
【００１９】
主軸ホルダーアタッチメント部分図４の４ａ部分の内径を調整させ、新しいものから旧式の電動式ドライバー等各種の電動式工具への脱着可能とし、幅広く対応できる経済的な工具とさす。
【００２０】
図１．７専用の主軸部分４と連結する安定兼用ブースグリップカバー３及び図７の６が連結され装着する、図１、部分は固定、脱着両用があり３ａ，３ｂ，３ｃが連結されていて３ｂのジョイント伸縮カバーアタッチメントが、数種類の電動式インパクト、ドライバー等の異なるジョイント部の太さ、形状をカバーし連結状態のバランスをとり、なお専用工具アタッチメントホルダー図５、５部分の脱着及び回転を安定させて五感性を保つ役割をする筒状のアタッチメント５を装着させる際に容易に挿入させ、六角状部分の回転による安全性を保持するカバーとなり安全である。
【００２１】
専用の工具アタッチメントホルダー図５は２種類の長さの異なる工具を構え、種類、太さ、形状の異なる六角ビットに対応さす専用工具５の両端内部は六角孔となり、外側は両端部に筒型板状ボ―ルピンカバー５ｂの加工溝があり、ボールピン５ｃがセットされ挿入する六角ビットの溝部へセットされ使用可能となり、六角ビット工具等は大半数使用可能となり錐の収納や大きめの孔を空けなど、容易とさせることが可能である。
【００２２】
図６は、一体型化された工具とビット工具各々がアタッチメントを装着しない状態で、２個以上の作業を交互に使用を可能とさすアタッチメント工具とを、電動式スクリュードライバーとを連結さし組み合わせた断面図で、図６で記載するもので専用一体型アタッチメント工具で、電動式スクリュードライバーの数種類へ対応する。
【００２３】
請求項２考案は、六角プラスビット等を主とする工具とを一体化された工具であり、各図面で示す図９．図１０．図１２である。図９は、レンチソヶットと１体化した工具でこの筒状の端部は六角注入孔となり、ロックボールの上下の運動で注入された六角プラスビット等が固定され一体型する仕組みであり、六角プラスビット等に被覆した形状で収納されて外すと六角プラスビット等の工具が使用可能な状態となる。図９以外に先端部分のレンチソヶットのみ、交換さす脱着タイプのもので、レンチ専用のアダブタ―を先端部に備えた筒状アタッチメントと六角プラスビット工具を収納し、一体化した一体型工具である。
【００２４】
図１０は、ホルソー両刃取替え式で既製工具ではあるが、本一体型工具元側の主軸部分へ工夫を施したもので、前記の記載と同じく、筒状の端部は六角挿入孔となり、ロックボールの上下の運動で注入された六角プラスビット等が脱着され固定する仕組みで、六角プラスビットとの双方の組み合わせによる相性が良く、被覆した形状で一体型化された工具である。このホルソー両刃の差し替え部分は、異なるサイズの組み合わせを自由に可能とする特徴を持つ。
【００２５】
図１２は、上記の図１０の作業用途と違う組み合わせ工具であり、土木用のホームタイ廻しで使用されもので、図１２の端部へ収納さす工夫を施したもので、異形の筒状端部の内径部分は六角孔となり、注入側の六角状のネジで固定されたアタッチメント９ｄが、ロックボールの上下の運動により脱着可能となり、被覆した形状で、一体型化し、組み合わせた一体型工具として使用可能となる。又図１２で示す９部分を外すと、木工用六角錐ビット等の工具が使用可能となる。
【産業上の利用可能性】
【００２６】
関連した２個以上の作業を交互に使用可能とさせる場合は、交互に取り替えをさせ、使用するか、もしくは、一体化させ一方の元側となるビット工具軸へ、何らかの被覆及び連結する為のアタッチメントを各々に加える工夫が必要であり、すなわち既存発明は、アタッチメントを有さずに２つ以上の作業を交互に使用を可能とさすことは難しいことであったが、本考案する一体型アタッチメント工具で可能とできた。ビット工具各々がアタッチメントを装着しない状態で、２個以上の作業を交互に使用を可能とさすことこそが特徴であり、複数の道具に対応させることが可能、安全、便利、スピーディなどの作業性の効果が発揮できる。試作による実施例でも、既に効果が得てあり、産業上の汎用も期待でき、現場における労災事故他、電動式工具へのビット工具の取り替え手間の削減して各種の作業等を容易とする。又２個以上もしくは、請求項２の一体型工具との組み合わせを行うことで、収納部分に備える３個以上の用途の異なる作業が、自由自在に組み合わせが可能となり、交互に迅速に使用が可能である。なお、上記記載のビット工具の収納部分には、大．中．小の鋭角な錐のビット工具等の長さ・太さによる幅広い種類のビット工具の収納が容易なことなど、経済面でも効果を期待させる。又五感性の異なる電動式工具等へも装着も可能とさす為、図１．図７を構え対応し、産業上の利用の可能性も図る、専用一体型アタッチメン工具である。
【図面の簡単な説明】
【００２７】
【図１】充電及び電動式インパクト・ドライバー工具本体と電動式等の専用一体型アタッチメント工具構成図
【図２】主軸部分と安定ホルダーグリップ部分の断面図
【図３】専用工具一体型アタッチメント工具（３つの連結状態）の正面図
【図４】主軸部分と主軸ホルダーアタッチメント連結状態斜視図
【図５】アタッチメントホルダー断面図
【図６】一体型工具と充電及び電動式専用一体型アタッチメト工具構成図
【図７】充電及び電動式スクリュウ―・ドライバー工具本体と電動式等の専用一体型アタッチメト工具構成図
【図８】チャック式電動工具の六角ビット専用アタッチメトと工具本体への装着斜視図
【図９】レンチ工具と六角ビット工具の一体型工具の断面図
【図１０】ホルソー両刃工具と六角ビット工具の一体型工具の断面図とａ―a線の断面図
【図１１】ホルソー両刃工具の主軸部分の断面図とb―b線の断面図
【図１２】ホームタイ廻し工具と六角木工錐の一体型工具の断面図とｃ―c線の断面図
【符号の説明】
【００２８】
１    充電及び電動式インパクト．ドライバー本体
２    電動工具ビット交換用スライドヘツド部分
３    固定兼用ブースグリップカバー
３ａ  固定用ネジ部分
３ｂ  ジョイント伸縮カバーアタッチメント
３ｃ  ジョイント保護エッジ
３ｄ  固定用ジョイント溝
４    主軸ヘツド部分と主軸ホルダー（インパクト式、チャック式用）
４ａ  主軸ホルダー部分
４ｂ  平型ベヤリング
４ｃ  固定Ｏリング
４ｄ  固定用ネジ部分
４ｅ  脱着専用ボール溝
５    アタッチメントホルダー
５ａ  六角ビット工具送入孔注入口
５ｂ  円柱型板バネボールカバー
５ｃ  ロックボール
６    電動式スクリュウ・ドライバー専用ブースグリップカバーアタッチメト
６ａ  主軸ヘツド部分
６ｂ  ホルダーヘッドカバー
６ｃ  平型ベヤリング
６ｄ  固定側グリップカバー
６ｅ  固定用ネジ部分
７    レンチ工具と六角プラスネジ回しビット工具との一体型工具（本体部分）        ７ａ  円柱型板バネボールカバー
７ｂ  ロックボール
７ｃ  六角孔レンチ送入孔注入口
７ｄ  六角ビット孔（筒間部）
８    ホルソー両刃工具と六角ビット工具の一体型工具（本体部分）
８ａ  鋼板用錐（取り替え式）
８ｂ  ホルソー両刃（本体）
８ｃ  チップ刃
８ｄ  安全エッジカバー
８ｅ  主軸部分
８ｆ  固定用ネジ部分
８Ｊ  錐固定用ネジ部
８ｈ  六角ビット工具送入孔
８Ｉ  脱着専用ボール溝
９    ホームタイ廻し工具と六角ビット木工錐の一体型工具（本体部）
９ａ  六角ビット工具（木工用錐）
９ｂ  円柱型板バネボールカバー
９ｃ  ロックボール
９ｄ  六角ビット工具専用アタッチメント
９ｅ  錐固定用ネジ部分
９ｆ  固定用ジョイント溝
９ｇ  六角ビット工具軸